(57)【要約】【課題】本考案は、装身具本体に基端部を取り付けたピン部材の先端部を係脱自在に係止するブローチなどの装身具用留め具に関する。【解決手段】  装身具本体の裏面に対して立ち上がる外筒部と、外筒部の周壁面に横向きに延びてピン部材を側方から挿入しうる挿入溝と、外筒部内に嵌挿された円錐バネと、該円錐バネの上部に載置された昇降作動部と、該昇降作動部の上端面に形成された押圧面部と、前記昇降作動部の周壁面で横向きに開口して前記昇降作動部を押し下げた際に挿入溝と連通可能な導入溝部と、該導入溝部と並んで下方に延びて前記挿入されたピン部材を係止する係止溝部とからなっていることを特徴とする。【選択図】図１
0003140343.tif 000002
【実用新案登録請求の範囲】
【請求項１】
装身具本体に基端部を取り付けたピン部材の先端部を係脱自在に係止する装身具用留め具において、
装身具本体の裏面に対して交叉する方向に立ち上がって上方が開口する筒体からなり、外筒部の周壁面に横向きに延びてピン部材の先端側を側方から挿入しうる挿入溝が形成された外筒部と、
該外筒部の中空底部に嵌合して上下方向に伸縮すると共に、押圧時に上方のバネ部が下方のバネ部の螺旋状の隙間に入ってほぼ最下段のバネの高さになる円錐バネと、
該円錐バネの上部に載置されて前記外筒部の中空内に上下動可能に嵌合した昇降作動部と、
該昇降作動部の上端面に形成された押圧面部と、
前記昇降作動部の周壁面で横向きに開口すると共に該昇降作動部が下降した際に前記挿入溝と連通してピン部材の先端側を側方から挿入可能な導入溝部と、
該導入溝部から段差部を介して下方に延びて導入溝部と並んで配置され、挿入されたピン部材の軸方向の基端側となる昇降作動部の周壁面で開口する係止溝部とからなっていることを特徴とする装身具用留め具。
【請求項２】
押圧面部が大径のフランジからなっており、押圧面部を介して昇降作動部を押し下げた際に、押圧面部が前記外筒部の上端と衝合してなり、該押し下げ位置で外筒部の挿入溝と昇降作動部の導入溝部とが整合するように形成されていることを特徴とする請求項１に記載の装身具用留め具。
【請求項３】
外筒部と昇降作動部に、昇降作動部が外筒部から抜け出ないように一対の抜止め手段が形成されていることを特徴とする請求項１に記載の装身具用留め具。
【考案の詳細な説明】
【技術分野】
【０００１】
本考案は、装身具本体に基端部を取り付けたピン部材の先端部を係脱自在に係止するブローチなどの装身具用留め具の改良に関するものである。
【背景技術】
【０００２】
従来のブローチは、ピンを被服に刺してピンの先端部をブローチの裏面に設けた風車方式や鉄砲方式の留め具に係合させて装着している。
前者の風車方式の留め具は、ブローチの裏面の一部に、フックを設け、このフックに風車片を回動自在に設け、ブローチの裏面に端部を枢着したピンの先端部をフックに係合し、次いで、風車片を回動させてフックの開口部をこの風車片により塞いでピンを取り付けている。
後者の鉄砲方式の留め具は、ブローチの裏面の一部に取付面に沿って横倒した筒部材を設け、該筒部材の内部に板ばねを介してシリンダ筒を進退自在に設け、このシリンダ筒を筒部材の内部に押圧した状態で、ブローチの裏面に端部を枢着したピンの先端部をシリンダ筒の中央に挿入した後に離すと板ばねの弾発力によりピンがシリンダ筒の内部に挿入されて止着される構成からなっている。
しかしながら、従来における何れの方式も、操作部分が小さく、また操作のためのスペースも限られて操作しづらいという不具合があった。
【特許文献１】特開平１０−３３２１６号公報
【考案の開示】
【考案が解決しようとする課題】
【０００３】
この考案の解決しようとする課題は、留め具の操作方向を装身具本体と交叉する方向にし、押圧面部を押すだけで係脱操作を行えるようにした装身具用留め具を提供することにある。
【課題を解決するための手段】
【０００４】
上記課題を解決するために、請求項１の考案では、
装身具本体に基端部を取り付けたピン部材の先端部を係脱自在に係止する装身具用留め具において、
装身具本体の裏面に対して交叉する方向に立ち上がって上方が開口する筒体からなり、外筒部の周壁面に横向きに延びてピン部材の先端側を側方から挿入しうる挿入溝が形成された外筒部と、
該外筒部の中空底部に嵌合して上下方向に伸縮すると共に、押圧時に上方のバネ部が下方のバネ部の螺旋状の隙間に入ってほぼ最下段のバネの高さになる円錐バネと、
該円錐バネの上部に載置されて前記外筒部の中空内に上下動可能に嵌合した昇降作動部と、
該昇降作動部の上端面に形成された押圧面部と、
前記昇降作動部の周壁面で横向きに開口すると共に該昇降作動部が下降した際に前記挿入溝と連通してピン部材の先端側を側方から挿入可能な導入溝部と、
該導入溝部から段差部を介して下方に延びて導入溝部と並んで配置され、挿入されたピン部材の軸方向の基端側となる昇降作動部の周壁面で開口する係止溝部とからなっていることを特徴とする。
また、請求項２の考案では、
前記押圧面部が大径のフランジからなっており、押圧面部を介して昇降作動部を押し下げた際に、押圧面部が前記外筒部の上端と衝合してなり、該押し下げ位置で外筒部の挿入溝と昇降作動部の導入溝部とが整合するように形成されていることを特徴とする。
更に、請求項３の考案では、
前記外筒部と昇降作動部に、昇降作動部が外筒部から抜け出ないように一対の抜止め手段が形成されていることを特徴とする。
【考案の効果】
【０００５】
本考案の装身具用留め具は、留め具の操作を行う押圧面部を装身具本体と交叉する方向に配置して、昇降させるだけの操作のでピン部材の係脱を行えるようにすると共に、円錐バネを用いることで留め具の全高（突出高さ）を可及的に低く抑えて邪魔にならないようにするという効果を奏する。
【考案を実施するための最良の形態】
【０００６】
ピン部材を留め具から係脱させるための操作性を容易化するという目的を、装身具本体の裏面と交叉する方向に留め具を設け、円錐バネを用いて昇降作動部を昇降させることで実現した。
【実施例１】
【０００７】
以下に、この考案をブローチの留め具に適用した好適実施例について、図面を参照しながら説明する。
図１に示す留め具１は、装身具本体となるブローチ本体３０の裏面で一方の端部寄りに取り付けられている。
また、ブローチ本体３０の裏面の他方の端部寄りには、ピン部材２０の基端が取り付けられている。
【０００８】
［ピン部材］
ピン部材２０は、基端をブローチ本体３０の裏面に枢着、または弾発可能に固着している。
図示例でピン部材２０は、水平に延びるピンの基端２２をコイル状に巻いて、該基端２２をブローチ本体３０の裏面に溶着しているので、先端側２１は弾性力を有しており、後述の留め具１に挿入しうるようになっているが、裏面に固着したアームに直線状のピンの基端を枢着した構成としてもよい。
ここで、この考案のピン部材２０はバネ性を有するものでも有しないものでもよい。
【０００９】
［留め具］
留め具１は、図２、図５から図７に明瞭なように、挿入溝３を有する外筒部２と、該外筒部２内に挿入される円錐バネ４と、該円錐バネ４により外筒部２内で昇降すると共に導入溝部６と係止溝部８とを有する昇降作動部５とからなっている。
【００１０】
［外筒部］
外筒部２は、図２に示すように、上方が開口する筒体からなっており、ブローチ本体３０の裏面に基端が溶着されて裏面と直交する方向に立ち上がっている。
そして、上記外筒部２の周壁面２ａには、軸線を中心に周方向に沿って延びる挿入溝３が穿設されている。
【００１１】
［挿入溝］
該挿入溝３は、前記ピン部材２０の先端側２１を側方から挿入しうる位置であって、図示例の場合、ピン部材の先端側２１に対応する周壁面２ａの側方位置から、後述のピン部材の先端側２１を係止した際に基端側が抜け出る後方位置まで開口されている（図１、図４参照）。
ここでは、後方とはピンの延出方向に対していい、先端側を前方とし、基端側を後方とする。
【００１２】
［円錐バネ］
前記外筒部２の中空底部には、図７に明瞭なように、上下方向に伸縮するように、上が小径となるように円錐バネ４を配置して嵌合している。
該円錐バネ４は、図５および図６に示すように、押圧時に上方の小径のバネ部の螺旋部分が下方の大径のバネ部の螺旋状の隙間に入ってほぼ最下段のバネの高さｈになるように形成されている。
【００１３】
［昇降作動部］
上記円錐バネ４の上部には昇降作動部５が載置されており、前記円錐バネ４の上下動により前記外筒部２の中空内で上下に摺動可能に嵌合されている。
該昇降作動部５は略柱状からなって、上端面にフランジとなる押圧面部１０が形成されており、前記昇降作動部５を指で押すなどして下降させた際に前記外筒部２の上端と衝合する位置決めストッパとして機能している。
【００１４】
また、外筒部２と昇降作動部５には、前記円錐バネ４による昇動で昇降作動部５が外筒部２から抜け出ないように抜止め手段が形成されている。
図示例で抜止め手段は、外筒部２と昇降作動部５との一方（図示例では昇降作動部５）に凸部１１を設け、他方（図示例では外筒部２の内壁面）に該凸部１１をガイドして所定の上昇位置で凸部１１と係止する溝部１２との組合せを例示したが、外筒部２を蟻溝１２’構造とし昇降作動部５の下部１１’を蟻溝１２’の開口より大径に設定して蟻溝内で昇降しうる構造（図８参照）とする等、その他の公知の抜け止め手段を設けることができる。
【００１５】
［導入溝部］
前記昇降作動部５の周壁面５ａには、昇降作動部５の軸線を中心にした周方向に沿って横向きに開口する導入溝部６が形成されている。
該導入溝部６は、前記昇降作動部５を下降した際に、前記外筒部２の挿入溝３の側方位置と整合する位置で開口して内方へ延びている（図５参照）。
【００１６】
［係止溝部］
該導入溝部６には、該導入溝部６から段差部７を介して下方に延びて導入溝部６と並んで配置される係止溝部８が一体に形成されている。
該係止溝部８は、前記昇降作動部５が円錐バネ４の反発力で上昇した際に、その下部が前記挿入溝３と連通可能に整合する位置まで縦方向に延びている（図４、図７参照）。
【００１７】
該係止溝部８は、昇降作動部５の周壁面５ａの後方で開口しており、前記係止溝部８に挿入されたピン部材２０の軸方向で基端寄りとなる後方個所でピン部材２０を抜け出させている。
図示例では、昇降作動部５を押し下げた際に、係止溝部８の下部と挿入溝３の後部とが組み合わされて、１つの略円形の孔９となり、該孔９からピン部材２０が抜け出ている（図４参照）。
【００１８】
上記構成からなっているので、使用に際しては、前記昇降作動部５の押圧面部１０を外筒部２の上端に衝合するまで押し下げ、円錐バネ４に抗して昇降作動部５を下降すると、導入溝部６と挿入溝３とが整合する。
そこで、ピン部材２０の先端側２１を側方から前記挿入溝３から挿入し導入溝部６を通って係止溝部８の上部までスライドさせる（図５参照）。
【００１９】
次いで、前記押圧面部１０への力を解放すると、昇降作動部５は前記円錐バネ４の反発力で所定高さまで上昇する。
この上昇により、前記挿入溝３の側方の開口は昇降作動部５の導入溝部６の下方に連なる周壁面５ｂで塞がれる（図３、図６参照）。
【００２０】
これと同時に、前記挿入溝３の後方の開口は、上昇した昇降作動部５の係止溝部８の下部の開口と整合し、両者が組み合わされて孔９が形成され、前記係止溝８内に入ったピン部材２０の先端側２１の軸が該孔９により四方から拘束された状態で軸方向に抜け出て保持される（図４参照）。
【００２１】
これにより、使用者は、ピン部材２０を留め具に係止する際に、ブローチ本体３０の裏面で立ち上がる留め具１の押圧面部１０を押し込み、ピン部材２０の先端側２１を挿入してから押圧面部１０への力を抜くことで係止を行うことができ、逆に前記先端部２１を外すには留め具１の押圧面部１０を押し込んで外せばよいので、操作が極めて容易化すると共に、円錐バネ４の使用により、係止中における留め具１の全高を可及的に低く抑えることができる。
【００２２】
なお、上記実施例で、外筒部２は円筒形状からなっているが、断面が楕円形状、三角形状、四角形状などの多角形の筒形状その他の任意形状の筒形状であってもよい。
また、昇降作動部５は、上記外筒部２内で昇降動可能な形状であればよく、外筒部の内周形状に対応する形状で無くてもよい。
その他、要するにこの発明の要旨を変更しない範囲で種々設計変更しうること勿論である。
【図面の簡単な説明】
【００２３】
【図１】実施例１の装身具用留め具の一部を省略した底面図である。
【図２】外筒部と昇降作動部を分離した状態の斜視図である。
【図３】ピン部材の先端側を係止した状態の前方から見た留め具の斜視図である。
【図４】ピン部材の先端側を係止した状態の後方から見た留め具の斜視図である。
【図５】ピン部材の先端側を挿入する状態を示す留め具の断面図である。
【図６】図５の圧縮状態の円錐バネの平面図である。
【図７】ピン部材の先端側を係止した状態を示す留め具の断面図である。
【図８】蟻溝構造の抜け止め構造を用いた別の実施例を示す断面図である。
【符号の説明】
【００２４】
１    留め具
２    外筒部
２ａ  周壁面
３    挿入溝
４    円錐バネ
５    昇降作動部
５ａ  周壁面
６    導入溝部
７    段差部
８    係止溝部
９    孔
１０    押圧面部
１１    凸部
１２    溝部
２０    ピン部材
２１    先端側
３０    ブローチ本体
【図１】
0003140343.tif 000003
【図２】
0003140343.tif 000004
【図３】
0003140343.tif 000005
【図４】
0003140343.tif 000006
【図５】
0003140343.tif 000007
【図６】
0003140343.tif 000008
【図７】
0003140343.tif 000009
【図８】
0003140343.tif 000010